(57)【特許請求の範囲】
【請求項１】
２組の気中絶縁主母線および気中絶縁開閉機器から構成され、複数組の線路回線を有する気中絶縁開閉装置を、ガス絶縁開閉装置に更新する開閉装置の更新方法において、上記気中絶縁開閉機器を、ガス絶縁形の断路器、遮断器、変流器および接地開閉器と、線路に接続した１組の第１のブッシングと、上記気中絶縁主母線に接続した２組の第２のブッシングとを有する線路ユニットを複数備えた複合形ガス絶縁開閉装置に更新する第１のステップ、上記気中絶縁主母線の下方に２組の主母線を有するガス絶縁主母線部を設置し、２組の第３のブッシングを介して上記気中絶縁主母線とガス絶縁主母線部とを接続する第２のステップ、および、上記第２のブッシングを撤去して上記線路ユニットとガス絶縁主母線部とをガス絶縁母線で接続し、上記第３のブッシングと気中絶縁主母線とを撤去する第３のステップからなることを特徴とする開閉装置の更新方法。
【請求項２】
第２のステップで、ガス絶縁主母線部の主母線と大地電位部との間に主母線用断路器と主母線用接地開閉器とを直列に設置し、第３のステップで、上記主母線用断路器と主母線用接地開閉器との接続部分、線路ユニットとガス絶縁主母線部とを接続するガス絶縁母線の間を接続することを特徴とする請求項１記載の開閉装置の更新方法。
【請求項３】
１組の気中絶縁主母線および気中絶縁開閉機器から構成され、複数組の線路回線を有する気中絶縁開閉装置を、ガス絶縁開閉装置に更新する開閉装置の更新方法において、上記気中絶縁開閉機器を、ガス絶縁形の断路器、遮断器、変流器および接地開閉器と、線路に接続した１組の第１のブッシングと、上記気中絶縁主母線に接続した１組の第２のブッシングとを有する線路ユニットを複数備えた複合形ガス絶縁開閉装置に更新する第１のステップ、上記気中絶縁主母線の下方に１組の主母線を有するガス絶縁主母線部を設置し、１組の第３のブッシングを介して上記気中絶縁主母線とガス絶縁主母線部とを接続する第２のステップ、および、上記第２のブッシングを撤去して上記線路ユニットとガス絶縁主母線部とをガス絶縁母線で接続し、上記第３のブッシングと気中絶縁主母線とを撤去する第３のステップからなることを特徴とする開閉装置の更新方法。
【請求項４】
気中絶縁開閉装置が変圧器回線を有し、第１のステップで、上記変圧器回線を、ガス絶縁形の断路器、遮断器、変流器および接地開閉器と、気中絶縁主母線に接続した第４のブッシングと、変圧器に接続した第５のブッシングとを有する変圧器ユニットに更新し、第３のステップで、上記第４のブッシングを撤去して上記変圧器ユニットとガス絶縁主母線部とをガス絶縁母線で接続するとともに、上記変圧器を更新し、上記第５のブッシングを撤去して上記変圧器ユニットと変圧器とをガス絶縁母線で接続することを特徴とする請求項１から請求項３のいずれかに記載の開閉装置の更新方法。
【請求項５】
第２または第３のステップで、ガス絶縁形の断路器および遮断器を有し、ガス絶縁主母線部に接続した母線区分ユニットを設置することを特徴とする請求項１から請求項４のいずれかに記載の開閉装置の更新方法。
【発明の詳細な説明】
【０００１】
【発明の属する技術分野】
この発明は電力系統の発変電分野及び送電分野で使用される開閉装置の更新方法に関するものであり、気中絶縁開閉装置からガス絶縁開閉装置へ更新する開閉装置の更新方法に関する。
【０００２】
【従来の技術】
図１６及び図１７は、例えば岡本栄智他、三菱電機技報Ｖｏｌ．５４・Ｎｏ．６・１９８０・１４−１８頁「中国電力（株）東山口変電所の新設工事」に記載された従来の気中絶縁の変電所の気中絶縁開閉装置の単線図と側面図である。
図１６及び図１７において、４１は変電所、発電所、開閉所等の電気所、４１ａは高電圧側の気中絶縁開閉装置、４２は気中開閉装置４１ａの３相分２組の線路回線、４３は気中開閉装置４１の３相分２組の変圧器回線、４４は気中開閉装置４１ａの母線接続回線、４５は変圧器、４５ａ及び４５ｂは変圧器４５のブッシング、４６、４７はそれぞれ３相分１組の気中絶縁主母線、４８は架空線、４９は気中接続線、５０は断路器、５１は変流器、５２は遮断器、５３は断路器、５４は接地開閉器、５５は避雷器、５６及び５７は気中接続線、５８は低電圧側の気中絶縁開閉装置、５９は気中接続線、１８は架空地線、１９、２０、２１、２２、２３は鉄塔、１９ａ、２１ａ、２２ａ、２３ａは碍子２４、２５は鉄塔の横枠である。
【０００３】
次にこの気中絶縁開閉装置の更新について説明する。図１６及び図１７の電気所４１において、気中絶縁の変圧器、主母線、気中接続線、断路器、変流器、遮断器、接地開閉器、避雷器、電圧変成器等が配置されているが、定格変更あるいは機器寿命により更新が必要になったときには、従来は同じ気中絶縁機器に交換されていた。そのため、余分の空間が確保できず、計画外の変圧器あるいは架空線の増設が困難であり、変圧器あるいは架空線回路の停止期間を長く必要とするガス絶縁開閉装置への更新も困難であった。更に、電気所の美観向上、緑化等の環境対策もスペース確保上制限があり困難であった。
【０００４】
図１８は従来の開閉装置の更新方法を説明するための電気所の平面図であり、気中絶縁開閉機器をガス絶縁開閉装置に更新する事例を示す。６０は引留鉄塔、６１は架空鉄塔、６２は更新後のガス絶縁開閉装置用の敷地、６３は更新後のガス絶縁開閉装置、６４は新設の引留鉄塔、６５は新設の架空鉄塔、６５ａは新設の架空線、６６はブッシング、６７はガス絶縁母線、６８は電力ケーブル、６９はケーブルヘッドである。
【０００５】
図１８において、高電圧側の気中絶縁開閉機器４１ａをガス絶縁開閉装置６３に更新するに当たり、変電所、発電所、開閉所等の電気所４１に隣接した敷地６２を確保し、敷地６２にガス絶縁開閉装置６３、ブッシング６６、ガス絶縁母線６７、引留鉄塔６４、電力ケーブル６８を新たに設けて、既設の電気所４１にケーブルヘッド６９を設けて、その後停電時に架空線６５ａの接続とケーブルヘッド６９と接続線４９間の接続を行い、既設の高電圧側の気中絶縁開閉機器４１ａを切り離す。図１８の場合、電気所４１に隣接した敷地６２及び架空鉄塔６５の敷地が必要であり、ガス絶縁開閉装置への更新のための余分のスペースが必要となって小形化したガス絶縁開閉装置の長所を生かせず、コスト面でも高くなるという問題点を有していた。
なお、引留鉄塔６０近傍にブッシング６６を設ければ、新たな架空鉄塔６５は不要になるが、新たな敷地６２は同様に必要である。
【０００６】
図１９は例えば特開平７−８７６３７号公報に記載された従来の複合形ガス絶縁開閉装置の側面図であり、７０は複合形ガス絶縁開閉装置の線路ユニット、５２は遮断器、５２ａは容器、５２ｂは導体部、５２ｃは接続部、７１はブッシング、７２および７３は導体部である。
【０００７】
図１９において、複合形ガス絶縁開閉装置の線路ユニット７０は相分離形であり、変電所において気中絶縁開閉装置より１回線毎に図１９に示す複合形ガス絶縁開閉装置へ交換あるいは更新することもできるが、上記変電所の最終形態でガス絶縁主母線への更新を考慮していないため、これ以上の更新は困難であった。即ち、図１９の複合形ガス絶縁開閉装置では気中絶縁開閉装置からガス絶縁開閉装置への更新はできないという問題点を有していた。
【０００８】
図２０は例えば特公平６−９５８０２号公報に記載された従来の複合形ガス絶縁開閉装置であり、７４は複合形ガス絶縁開閉装置の線路ユニット、７５及び７６は気中絶縁主母線、７７は主母線側断路器、７８は遮断器、７８ａは操作装置箱、７９は線路側断路器、８０は分岐母線、８１及び８２はブッシングである。
【０００９】
次に更新について説明する。図２０において、複合形ガス絶縁開閉装置の線路ユニット７４が気中絶縁主母線７５及び７６の下部に配置されているが、気中絶縁主母線７５及び７６はガス絶縁化されないため、図２０の複合形ガス絶縁開閉装置では、気中絶縁の開閉機器が完全なガス絶縁開閉装置にはならず、気中絶縁開閉機器より図２０の複合形ガス絶縁開閉装置へ更新しても、さらにガス絶縁開閉装置へ更新するのが不可能であるという問題点を有していた。
【００１０】
【発明が解決しようとする課題】
以上のように従来の開閉装置の更新方法では気中絶縁開閉装置から、ガス絶縁開閉装置への更新が困難であり、ガス絶縁開閉装置への更新を行う場合そのコストが高く、更新時の停止期間が長い等の問題点があった。
【００１１】
この発明は上記のような問題点を解決するためになされたもので、簡便、経済的で停止期間の短い、気中絶縁開閉装置よりガス絶縁開閉装置へ更新する開閉装置の更新方法を提供することを目的とする。
【００１２】
【課題を解決するための手段】
請求項１に係る開閉装置の更新方法は、２組の気中絶縁主母線および気中絶縁開閉機器から構成され、複数組の線路回線を有する気中絶縁開閉装置を、ガス絶縁開閉装置に更新する開閉装置の更新方法において、気中絶縁開閉機器を、ガス絶縁形の断路器、遮断器、変流器および接地開閉器と、線路に接続した１組の第１のブッシングと、気中絶縁主母線に接続した２組の第２のブッシングとを有する線路ユニットを複数備えた複合形ガス絶縁開閉装置に更新する第１のステップ、気中絶縁主母線の下方に２組の主母線を有するガス絶縁主母線部を設置し、２組の第３のブッシングを介して気中絶縁主母線とガス絶縁主母線部とを接続する第２のステップ、および、第２のブッシングを撤去して線路ユニットとガス絶縁主母線部とをガス絶縁母線で接続し、第３のブッシングと気中絶縁主母線とを撤去する第３のステップからなるものである。
請求項２に係る開閉装置の更新方法は、請求項１記載のものにおいて、第２のステップで、ガス絶縁主母線部の主母線と大地電位部との間に主母線用断路器と主母線用接地開閉器とを直列に設置し、第３のステップで、主母線用断路器と主母線用接地開閉器との接続部分、線路ユニットとガス絶縁主母線部とを接続するガス絶縁母線の間を接続するものである。
【００１３】
請求項３に係る開閉装置の更新方法は、１組の気中絶縁主母線および気中絶縁開閉機器から構成され、複数組の線路回線を有する気中絶縁開閉装置を、ガス絶縁開閉装置に更新する開閉装置の更新方法において、気中絶縁開閉機器を、ガス絶縁形の断路器、遮断器、変流器および接地開閉器と、線路に接続した１組の第１のブッシングと、気中絶縁主母線に接続した１組の第２のブッシングとを有する線路ユニットを複数備えた複合形ガス絶縁開閉装置に更新する第１のステップ、気中絶縁主母線の下方に１組の主母線を有するガス絶縁主母線部を設置し、１組の第３のブッシングを介して気中絶縁主母線とガス絶縁主母線部とを接続する第２のステップ、および、第２のブッシングを撤去して線路ユニットとガス絶縁主母線部とをガス絶縁母線で接続し、第３のブッシングと気中絶縁主母線とを撤去する第３のステップからなるものである。
【００１４】
請求項４に係る開閉装置の更新方法は、請求項１から請求項３のいずれかに記載のものにおいて、気中絶縁開閉装置が変圧器回線を有し、第１のステップで、変圧器回線を、ガス絶縁形の断路器、遮断器、変流器および接地開閉器と、気中絶縁主母線に接続した第４のブッシングと、変圧器に接続した第５のブッシングとを有する変圧器ユニットに更新し、第３のステップで、第４のブッシングを撤去して変圧器ユニットとガス絶縁主母線部とをガス絶縁母線で接続するとともに、変圧器を更新し、第５のブッシングを撤去して変圧器ユニットと変圧器とをガス絶縁母線で接続するものである。
請求項５に係る開閉装置の更新方法は、請求項１から請求項４のいずれかに記載のものにおいて、第２または第３のステップで、ガス絶縁形の断路器および遮断器を有し、ガス絶縁主母線部に接続した母線区分ユニットを設置するものである。
【００１５】
【発明の実施の形態】
実施の形態１．
以下、この発明の一実施の形態について説明する。図１〜図５は、図１６、図１７に示す気中絶縁開閉装置からガス絶縁開閉装置への更新方法における第１のステップを説明するための図であり、図１は更新途中の複合形ガス絶縁開閉装置の単線図、図２は複合形ガス絶縁開閉装置の線路ユニットの断面図、図３は複合形ガス絶縁開閉装置の変圧器ユニットの断面図、図４は複合形ガス絶縁開閉装置の線路ユニットの側面図、図５は複合形ガス絶縁開閉装置の変圧器ユニットの側面図である。
【００１６】
図１ないし図５において、４１は変電所、発電所、開閉所等の電気所、２は複合形ガス絶縁開閉装置の２つの線路ユニット、２ａは容器、２ｂは絶縁スペーサ、２ｃは制御箱、３は複合形ガス絶縁開閉装置の変圧器ユニット、３ａは容器、３ｂは絶縁スペーサ、３ｃは制御箱、４は複合形ガス絶縁開閉装置の母線接続ユニット、４５は変圧器、４５ａ及び４５ｂは変圧器４５のブッシング、５９は気中接続線、４６、４７はそれぞれ１組の気中絶縁主母線である。ただし、「１組」とは３相分の１組という（以後も同じ）。４８は線路としての架空線、９は気中の接続線である。１０は主母線側の断路器、１０ａは導体、１１は変流器、１２は遮断器、１２ａは接続部、１２ｂは導体、１２ｃは支持絶縁筒、１３は断路器、１４は接地開閉器であり、これらはガス絶縁形になっている。
【００１７】
１６、１５は第１、第２のブッシングであり、１つの線路ユニット２に第１のブッシング１６が１組と第２のブッシング１５が２組設けられ、それぞれ架空線４８と気中絶縁主母線４６、４７に接続されている。１５１、１６１は第４、第５のブッシングであり、１つの変圧器ユニット３に第４のブッシング１５１が２組と第５のブッシング１６１が１組設けられ、それぞれ気中絶縁主母線４６、４７と変圧器４５に接続されている。１５２は母線接続ユニット４に２組設けられた第６のブッシングであり、１組ずつ気中絶縁主母線４６と４７に接続されている。
１５ａおよび１６ａは導体、１５ｂおよび１６ｂは碍子、１７は避雷器、１７ａは導体、１２ｄは操作装置箱、１８は架空地線、１９、２０、２１、２２、２３は鉄塔、１９ａ、２０ａ、２１ａ、２２ａ、２３ａは碍子、２４、２５は鉄塔の横枠である。
【００１８】
次に更新について説明する。図１ないし図５において、複合形ガス絶縁開閉装置の線路ユニット２、変圧器ユニット３、母線接続ユニット４が気中絶縁主母線４６及び４７に気中接続線９を介して接続されている。図１６及び図１７の気中絶縁開閉装置からは気中絶縁主母線４６、４７を除いてガス絶縁形の複合形ガス絶縁開閉装置に更新されているが、１ユニットずつ更新する回路の停止と片方ずつの気中絶縁主母線４６、４７の停止のみで、電気所４１全体を停止させることなしに、更新が行われる。図４あるいは図５に示した複合形ガス絶縁開閉装置の線路ユニット２あるいは変圧器ユニット３は、当該の架空線４８あるいは変圧器４５を停止し、気中絶縁主母線４６及び４７側の断路器１０を開いて、当該の接続線、遮断器、変流器、断路器、避雷器等を取り外して、気中絶縁主母線４６、４７側の断路器１０を１組ずつ、気中絶縁主母線４６、４７の片方の停止で順次取り外し、空いた空間に図４あるいは図５の複合形ガス絶縁開閉装置の線路ユニット２あるいは変圧器ユニット３を配置して、接続線９を気中絶縁主母線４６、４７の片方の停止で順次接続し、架空線４８および変圧器４５へ接続することにより、複合形ガス絶縁開閉装置への更新が行われる。
【００１９】
図４および図５において、気中絶縁主母線４６、４７の下方には後述のガス絶縁主母線部を配置するための空間を開けて、複合形ガス絶縁開閉装置の各ユニット２、３が配置されている。配置が図示されていない母線接続ユニット４についても同様である。
図４および図５の配置の電気所では、気中絶縁開閉装置から複合形ガス絶縁開閉装置に更新することにより、最終のガス絶縁開閉装置への更新の途中段階であるが、多くの気中絶縁の開閉機器が撤去されているため、スペースに余裕が生じ、美観も向上している。
【００２０】
図２の複合形ガス絶縁開閉装置の線路ユニット２は３個（３相分）の容器２ａの内部に遮断器１２、遮断器１２の両側に２組の変流器１１、遮断器１２の線路側に断路器１３、２組の接地開閉器１４および避雷器１７を配置するとともに、遮断器１２の主母線側に２組の断路器１０および接地開閉器１４を配設し、気中の架空線４８および気中絶縁主母線への接続線９に接続される１組の第１のブッシング１６および２組の第２のブッシング１５、制御箱２ｃ等を配設している。遮断器１２と断路器１０間および遮断器１２と断路器１３間には絶縁スペーサ２ｂが配置されてガス区分され、断路器１０、１３を開いて接地開閉器１４を閉じれば、遮断器１２の内部点検ができるようになっている。なお、変流器１１は保護方式によっては遮断器１２の片側のみにしてもよいし、変流器１１は第１あるいは第２のブッシング１６、１５の下端部分に設けてもよい。
【００２１】
図３の複合形ガス絶縁開閉装置の変圧器ユニット３は３個（３相分）の容器３ａの内部にガス絶縁形の遮断器１２、遮断器１２の片側に１組の変流器１１、遮断器１２の変圧器側に１組の接地開閉器１４および避雷器１７を配設し、遮断器１２の主母線側に２組の断路器１０および接地開閉器１４を配設し、また、主母線への気中の接続線９および変圧器への気中の接続線９に接続される２組の第４のブッシング１５１および１組の第５のブッシング１６１、制御箱３ｃ等を配設している。遮断器１２と断路器１０間には絶縁スペーサ３ｂが配置されてガス区分され、断路器１２を開いて接地開閉器１４を閉じれば、遮断器１２の内部点検ができるようになっている。なお、変流器１１は保護方式によっては遮断器１２の両側に設けてもよく、また遮断器１２の変圧器側に断路器を設けてもよい。
【００２２】
図１の複合形ガス絶縁開閉装置の母線接続ユニット４の断面図は図示されていないが、３個の容器にガス絶縁形の遮断器１２、遮断器１２の両側に変流器１１、遮断器１２の両側に断路器１０および接地開閉器１４を収容するとともに、２組の第６のブッシング１５２を配設したものであり、図２あるいは図３の複合形ガス絶縁開閉装置のユニットと同様である。
【００２３】
図２および図３の複合形ガス絶縁開閉装置の線路ユニット２および変圧器ユニット３は相分離形として説明したが、三相一括形を適用しても同様の効果が得られる。また、図２および図３には、避雷器１７が設けられているが、電圧変成器等の他の機器を設けた場合も同様の効果が得られる。図２および図３において、容器２ａおよび３ａは単相の一個の容器で構成されているが、複数個に分割した容器を用いた場合も同様の効果が得られる。
このように種々の変化が可能であるが、線路ユニット２の構成機器としては、図１に示す二重母線方式の場合は、１組の遮断器１２、遮断器１２のいずれか片側の１組の変流器１１、線路側の１組の断路器１３、主母線側の２組の断路器１０、および遮断器１２の両側の２組の接地開閉器１４が少なくとも必要である。なお単母線方式の場合は、断路器１０は１組でもよい。
【００２４】
図１ないし図５の事例は二重母線方式の複合形ガス絶縁開閉装置であるが、単母線方式、１．５ＣＢ方式等に適用しても同様の効果が得られ、この場合の複合形ガス絶縁開閉装置の線路ユニット２は３個の容器２ａの内部に遮断器１２、遮断器１２の両側に２組の変流器１１、遮断器１２の線路側に断路器１３、２組の接地開閉器１４および避雷器１７を配設し、遮断器１２の主母線側に１組の断路器１０および接地開閉器１４を配設し、気中の架空線４８および気中絶縁主母線への接続線９に接続される１組の第１のブッシング１６および１組の第２のブッシング１５、制御箱２ｃ等を配設している構成である。また、単母線方式、１．５ＣＢ方式等の複合形ガス絶縁開閉装置の変圧器ユニット２は３個の容器２ａの内部に遮断器１２、遮断器１２の片側に１組の変流器１１、遮断器１２の変圧器側に１組の接地開閉器１４および避雷器１７を配設し、遮断器１２の主母線側に１組の断路器１０および接地開閉器１４を配設し、主母線への気中の接続線９および変圧器への気中の接続線９に接続される１組ずつの第４、第５のブッシング１５１、１６１、制御箱３ｃ等を配設している構成である。
【００２５】
次に上記の第１のステップ以後に行う第２のステップについて図６、図７により説明する。図６はガス絶縁開閉装置への更新途中の複合形ガス絶縁開閉装置の単線図、図７は複合形ガス絶縁開閉装置の側面図であり、２６はガス絶縁主母線部、２７および２８はガス絶縁主母線部２６の主母線（以下、ガス絶縁の主母線と称する）で１組ずつ設けられている。２９は主母線用断路器、３０は主母線用接地開閉器で、主母線２７、２８と大地電位部との間に、主母線用断路器２９と主母線用接地用開閉器３０とが直列になって設置されている。３１は主母線２７、２８に接続された２組の第３のブッシング、３３は第３のブッシング３１と気中絶縁主母線４６および４７との接続線である。
【００２６】
次に更新について説明する。図６および図７において、ガス絶縁開閉装置のガス絶縁の主母線２７および２８は、気中絶縁主母線４６および４７の下方に配置され、複合形ガス絶縁開閉装置の線路ユニット２あるいは変圧器ユニット３に次の段階で接続しやすい位置に配設され、気中絶縁主母線４６および４７に接続するための第３のブッシング３１（ただし、図７では見易くするために第３のブッシング３１の図示を省略した。第３のブッシング３１の位置については図９参照。）が設けられている。それぞれのガス絶縁の主母線２７および２８には次の段階で複合形ガス絶縁開閉装置の線路ユニット２あるいは変圧器ユニット３に接続するときに用いるための主母線用断路器２９および主母線用接地開閉器３０が設けられている。図６の段階では主母線用断路器２９が開いており、気中絶縁主母線４６および４７と、ガス絶縁の主母線２７および２８の両方に電圧が印加されている。ガス絶縁の主母線２７および２８が気中絶縁主母線４６および４７の下方に配設されているため、片方ずつの母線停止で、ガス絶縁の主母線２７および２８等を配設する工事を行うことができ、また設置のための新たなスペースも要らない。
【００２７】
なお、図６および図７において、主母線用断路器２９および主母線用接地開閉器３０がガス絶縁の主母線２７および２８に設けられているが、主母線用断路器２９を省略し、接地開閉器を複合形ガス絶縁開閉装置の線路ユニット２あるいは変圧器ユニット３の第２、第４のブッシング１５、１５１の下部に設けるようにすると、主母線用接地開閉器３０も省略でき、更新工事面では手間が増加するものの経済性の向上を図ることができる。
【００２８】
次に、上記第２のステップ以後に行う第３のステップについて説明する。この第３のステップでは、まず図８〜図１０に示す複合形ガス絶縁開閉装置に更新し、その後図１１〜図１３に示すガス絶縁開閉装置に更新する。図８は更新の途中段階の複合形ガス絶縁開閉装置の単線図、図９は複合形ガス絶縁開閉装置の側面図、図１０はガス絶縁の主母線２７と気中絶縁主母線４６の接続部の側面図であり、３４はガス絶縁母線、３６は鉄塔、３６ａは碍子である。
図８ないし図１０においては、図６にあった第２、第４のブッシング１５、１５１が撤去されて複合形ガス絶縁開閉装置の線路ユニット２および変圧器ユニット３がガス絶縁母線３４により、ガス絶縁の主母線２７および２８に主母線用断路器２９を介して接続され、その接続部分に主母線用接地開閉器３０が接続されている。複合形ガス絶縁開閉装置の線路ユニット２あるいは変圧器ユニット３等はほぼ最終段階のガス絶縁開閉装置と同様になっている。図１０のように、ガス絶縁の主母線２７および２８が気中絶縁主母線４６および４７に接続されているため、片方ずつの母線停止と当該回線のみの停止で、ガス絶縁母線３４によりガス絶縁の主母線２７および２８と複合形ガス絶縁開閉装置の線路ユニット２あるいは変圧器ユニット３との接続を行うことができる。
【００２９】
次に、図１１〜図１３に示す最終段階への更新について説明する。図１１は更新された最終段階のガス絶縁開閉装置の単線図、図１２はガス絶縁開閉装置の線路ユニットの側面図、図１３はガス絶縁開閉装置の変圧器ユニットの側面図であり、５は更新した変圧器、３５は変圧器５の高電圧側のガス絶縁母線、３５ａは変圧器５の低電圧側のガス絶縁母線である。
図１１ないし図１３において、図８にあった気中絶縁主母線４６、４７、ガス絶縁の主母線２７、２８に設けられていた第３のブッシング３１および変圧器ユニット２の第５の気中ブッシング１６１が撤去され、また変圧器５が更新されて変圧器ユニット３との間にもガス絶縁母線３５が適用され、電気所内の開閉機器は全てガス絶縁化され、最終のガス絶縁開閉装置となっている。なお、変圧器５は全体を更新せずに、ガス絶縁母線３５および３５ａとの接続部分のみ更新するようにしてもよい。
図１２および図１３において、更に鉄塔２１、２２、２３および横枠２４、２５等を撤去すれば、高さの高い構造物が無くなり美観も向上する。
図１３において、変圧器５は開閉装置のガス絶縁化に合わせて同一停止時に更新でき、更に、更新時に低騒音変圧器に交換することにより、同時に電気所の環境改善を行うこともできる。
また、上記では線路回線、変圧器回線がともに２回線の場合を示したが、３回線以上の場合でも線路ユニットあるいは変圧器ユニットを３つ以上にして本発明を適用でき、同様の効果が得られる。
【００３０】
実施の形態２．
以下、この発明の他の実施の形態について説明する。この実施の形態は、線路回線が２組、変圧器が２台であったものをそれぞれ３組以上あるいは３台以上に増設する場合について示す。図１４は実施の形態１で説明したのと同様にして気中絶縁開閉装置より更新された最終段階のガス絶縁開閉装置の単線図、図１５はガス絶縁開閉装置の母線区分ユニットの側面図であり、３７はガス絶縁開閉装置、３８は母線区分ユニット、３６ｂは横枠であり、その他の部分は実施の形態１の場合と同様であるので説明を省略する。
図１４および図１５において、気中絶縁開閉装置からガス絶縁開閉装置への更新時、ガス絶縁開閉装置適用による空いたスペースを活用して、線路ユニット２、変圧器ユニット３および母線接続ユニット４の増設とともに、ガス絶縁の主母線２７間および２８間に母線区分ユニット３８を設けるようにしたものである。計画外の変電所の容量増加が必要になり、都市部等で必要な敷地を確保し難いとき、既設の気中絶縁開閉装置をガス絶縁開閉装置に更新することにより、必要とする電気所の容量増加と母線区分による信頼性向上を図ることができる。
なお、増設は既設分のガス絶縁化時に図１４に示す装置まで同時に行ってもよいし、あるいは、ガス絶縁化時には線路回線や変圧器の増設を行わずに母線区分ユニット３８を新設しておき、後の時期に線路ユニット２や変圧器ユニット３、変圧器５などを増設するようにしてもよい。
図１５において、母線区分ユニット３８は三相一括形であるが、相分離形を適用しても同様の効果が得られる。
【００３１】
【発明の効果】
以上のように、この発明の請求項１に係る開閉装置の更新方法によれば、２重母線方式の開閉装置に対して、気中絶縁主母線とその下方に設置したガス絶縁の主母線とを更新途中で併用することにより、新たな敷地や鉄塔の必要がなく、簡便で、経済的に行うことができ、また、１線路回線毎、主母線の片方ずつの停止で更新工事を行うことができて電気所の停止期間を部分的で短くできる効果がある。
請求項２に係る開閉装置の更新方法によれば、主母線用断路器と主母線用接地開閉器を用いてガス絶縁の主母線の切り離し、接地を容易に行うことができ、上記効果に加えて更新工事を能率よく進めることができる効果がある。
【００３２】
請求項３に係る開閉装置の更新方法によれば、単母線方式の開閉装置に対して、請求項１の更新方法と同様の効果がある。
請求項４に係る開閉装置の更新方法によれば、変圧器回線を有する開閉装置に対して、請求項１の更新方法と同様の効果がある。
請求項５に係る開閉装置の更新方法によれば、母線区分ユニットを設置することにより容量増加と信頼性向上を図ることができる効果がある。
【図面の簡単な説明】
【図１】  この発明の開閉装置の更新方法における実施の形態１の第１のステップを説明するための複合形ガス絶縁開閉装置の単線図である。
【図２】  図１の複合形ガス絶縁開閉装置の線路ユニットの断面図である。
【図３】  図１の複合形ガス絶縁開閉装置の変圧器ユニットの断面図である。
【図４】  図１の複合形ガス絶縁開閉装置の線路ユニットの側面図である。
【図５】  図１の複合形ガス絶縁開閉装置の変圧器ユニットの側面図である。
【図６】  この発明の開閉装置の更新方法における実施の形態１の第２のステップを説明するための複合形ガス絶縁開閉装置の単線図である。
【図７】  図６の複合形ガス絶縁開閉装置の側面図である。
【図８】  この発明の開閉装置の更新方法における実施の形態１の第３のステップを説明するための複合形ガス絶縁開閉装置の単線図である。
【図９】  図８の複合形ガス絶縁開閉装置の側面図である。
【図１０】  ガス絶縁の主母線と気中絶縁主母線の接続部の側面図である。
【図１１】  この発明の開閉装置の更新方法における実施の形態１の最終段階を説明するためのガス絶縁開閉装置の単線図である。
【図１２】  図１１のガス絶縁開閉装置の線路ユニットの側面図である。
【図１３】  図１１のガス絶縁開閉装置の変圧器ユニットの側面図である。
【図１４】  この発明の開閉装置の更新方法における実施の形態２の最終段階を説明するためのガス絶縁開閉装置の単線図である。
【図１５】  図１４のガス絶縁開閉装置の側面図である。
【図１６】  従来の気中絶縁開閉装置を示す単線図である。
【図１７】  図１６の気中絶縁開閉装置の側面図である。
【図１８】  従来の開閉装置の更新方法を説明するための電気所の平面図である。
【図１９】  従来の複合形ガス絶縁開閉装置の側面図である。
【図２０】  従来の別の複合形ガス絶縁開閉装置の側面図である。
【符号の説明】
２  線路ユニット、３  変圧器ユニット、５  変圧器、１０,１３  断路器、
１１  変流器、１２  遮断器、１４  接地開閉器、
１６,１５,３１,１５１,１６１,１５２  第１〜第６のブッシング、
２６  ガス絶縁主母線部、２７,２８  主母線、２９  主母線用断路器、
３０  主母線用接地開閉器、３４,３５  ガス絶縁母線、３８  母線区分ユニット、
４６,４７  気中絶縁主母線、４８  架空線。
【図１】
0003763988.tif 000002
【図２】
0003763988.tif 000003
【図３】
0003763988.tif 000004
【図４】
0003763988.tif 000005
【図５】
0003763988.tif 000006
【図６】
0003763988.tif 000007
【図７】
0003763988.tif 000008
【図８】
0003763988.tif 000009
【図９】
0003763988.tif 000010
【図１０】
0003763988.tif 000011
【図１１】
0003763988.tif 000012
【図１２】
0003763988.tif 000013
【図１３】
0003763988.tif 000014
【図１４】
0003763988.tif 000015
【図１５】
0003763988.tif 000016
【図１６】
0003763988.tif 000017
【図１７】
0003763988.tif 000018
【図１８】
0003763988.tif 000019
【図１９】
0003763988.tif 000020
【図２０】
0003763988.tif 000021